(57)【要約】【課題】浴槽蓋本体における湯面側の硬質外装薄板を伝って熱エネルギーが外部に放散するのを有効に防止し、保温乃至断熱効果を飛躍的に向上させた浴槽蓋を提供する。【解決手段】保温乃至断熱芯材２の表裏両面に耐水性を有する硬質外装薄板３を付設し、且つその外周縁部に軟質合成樹脂製のエッジプロテクター４を嵌着してなる薄板状の浴槽蓋であって、施蓋状態において湯面側となる前記硬質外装薄板３の浴槽フランジ部６との境界付近に沿って絶縁溝７を形成し、温められた湯面側の硬質外装薄板３の熱伝導を当該絶縁溝７で遮断するようにした。また、絶縁溝７に絶縁パッキン８を嵌め込んで、当該絶縁パッキン８の先端部を湯面側に向けて突出させるようにした。【選択図】図１
2008000153.tif 000002
【特許請求の範囲】
【請求項１】
保温乃至断熱芯材の表裏両面に耐水性を有する硬質外装薄板を付設してなる板状の浴槽蓋であって、施蓋状態において湯面側となる前記硬質外装薄板の浴槽フランジ部との境界付近に沿って絶縁溝を形成し、温められた湯面側の硬質外装薄板の熱伝導を当該絶縁溝で遮断するようにしたことを特徴とする浴槽蓋。
【請求項２】
保温乃至断熱芯材の表裏両面に耐水性を有する硬質外装薄板を付設してなる板状の浴槽蓋であって、施蓋状態において湯面側となる前記硬質外装薄板の浴槽フランジ部との境界付近に沿って絶縁溝を形成すると共に、当該絶縁溝に絶縁パッキンを嵌め込んで、当該絶縁パッキンの先端部を湯面側に向けて突出させたことを特徴とする浴槽蓋。
【請求項３】
絶縁溝が硬質外装薄板のみを板厚方向に切り欠いたものである請求項１記載の浴槽蓋。
【請求項４】
絶縁溝が硬質外装薄板及び内部の保温乃至断熱芯材まで切り込まれており、当該絶縁溝内に絶縁パッキンが嵌め込まれている請求項２記載の浴槽蓋。
【請求項５】
硬質外装薄板がアルミニウムを始めとした金属製薄板あるいは熱伝導率の比較的大きい硬質合成樹脂または繊維強化合成樹脂によって作製されている請求項１乃至請求項４記載の浴槽蓋。
【発明の詳細な説明】
【技術分野】
【０００１】
本発明は浴槽内の湯温の低下を防ぐため浴槽の上面に被せる浴槽蓋に係り、特に保温乃至断熱性能を向上させた浴槽蓋に関する。
【背景技術】
【０００２】
浴槽内の湯温の低下を防ぐため、あるいは浴室内に湯気が放散するのを防ぐため浴槽の上面には浴槽蓋を被せるのが一般的である。
【０００３】
浴槽蓋には、押出成形による細長中空棒状体の複数本を軟質合成樹脂製の連結片を介して浴槽の上面を実質的に覆う大きさに連結してなる巻き込みを可能にしたシャッター蓋や、幅広板状の中空部材同士を軟質合成樹脂製の連結片によって交互に連結した折り蓋の他、下記特許文献に示されているように、保温乃至断熱芯材としての板状合成樹脂発泡体の表裏両面に耐水性をもった硬質外装薄板を貼着し、その全外周縁部を軟質合成樹脂製のエッジプロテクターで覆った薄板状の浴槽蓋が知られている。
【特許文献１】特開平１１−３２９３０号公報
【特許文献１】特開２００４−３３６０１号公報
【発明の開示】
【発明が解決しようとする課題】
【０００４】
上記のように、熱可塑性合成樹脂発泡体からなる保温乃至断熱芯板の表裏両面にアルミニウムを始めとした金属製薄板のような耐水性をもった硬質外装薄板を積層一体化してなる蓋本体の全外周縁部に軟質合成樹脂製のエッジプロテクターを取付けた構成の浴槽蓋は既に知られている。
【０００５】
図５はこの従来型の薄板状浴槽蓋の使用状態の一例を示す説明図であり、２０は熱可塑性合成樹脂発泡体等からなる保温乃至断熱芯板２１の表裏両面にアルミニウム製薄板のような耐水性をもった硬質外装薄板２２を積層一体化してなる浴槽蓋本体、２３は浴槽、２４は当該浴槽２３のフランジ部である。
【０００６】
施蓋状態において、浴槽蓋本体２０の保温乃至断熱効果は主に芯板２１に使用している合成樹脂製発泡体等によってもたらされる。しかしながら、浴槽２３内の湯温に起因する熱エネルギーは湯面側の硬質外装薄板２２に直接作用し、当該硬質外装薄板２２を熱媒体として浴槽２３のフランジ部２４を伝わって放散され熱エネルギーにロスが生ずるのも無視することができない。特に、湯面から比較的遠ざかる浴槽２３のフランジ部２４は冬場においては可成り低い温度となるので硬質外装薄板２２の熱伝導によって湯温の低下を招き易いという問題点がある。
【０００７】
ところが、従来の浴槽蓋においては湯面側の硬質外装薄板を伝って熱エネルギーが外部に放散するのを防ぐ手段が講じられておらず、保温乃至断熱性能を向上させるという浴槽蓋本来の効果を充足することができなかった。
【０００８】
したがって、本発明の目的は前記した従来型の浴槽蓋の問題点を解消し、浴槽蓋本体における湯面側の硬質外装薄板を伝って熱エネルギーが外部に放散するのを有効に防止し、保温乃至断熱効果を飛躍的に向上させた浴槽蓋を提供することにある。
【課題を解決するための手段】
【０００９】
上記目的を達成するための本発明の構成を詳述すれば、請求項１に係る発明は、保温乃至断熱芯材の表裏両面に耐水性を有する硬質外装薄板を付設してなる板状の浴槽蓋であって、施蓋状態において湯面側となる前記硬質外装薄板の浴槽フランジ部との境界付近に沿って絶縁溝を形成し、温められた湯面側の硬質外装薄板の熱伝導を当該絶縁溝で遮断するようにしたことを特徴とする浴槽蓋である。  
【００１０】
請求項２に係る発明は、保温乃至断熱芯材の表裏両面に耐水性を有する硬質外装薄板を付設してなる板状の浴槽蓋であって、施蓋状態において湯面側となる前記硬質外装薄板の浴槽フランジ部との境界付近に沿って絶縁溝を形成すると共に、当該絶縁溝に絶縁パッキンを嵌め込んで、当該絶縁パッキンの先端部を湯面側に向けて突出させたことを特徴とする浴槽蓋である。
【００１１】
請求項３に係る発明は、絶縁溝が硬質外装薄板のみを板厚方向に切り欠いたものである請求項１記載の浴槽蓋である。
【００１２】
また、請求項４に係る発明は、絶縁溝が硬質外装薄板及び内部の保温乃至断熱芯材まで切り込まれており、当該絶縁溝内に絶縁パッキンが嵌め込まれている請求項２記載の浴槽蓋である。
【００１３】
さらに、請求項５に係る発明は、硬質外装薄板がアルミニウムを始めとした金属製薄板あるいは熱伝導率の比較的大きい硬質合成樹脂または繊維強化合成樹脂によって作製されている請求項１乃至請求項４記載の浴槽蓋である。
【発明の効果】
【００１４】
本発明断熱浴槽蓋は以上のように、施蓋状態において湯面側となる硬質外装薄板の浴槽フランジ部との境界付近に絶縁溝を連続して形成したものであるから、温められた湯面側の硬質外装薄板の熱エネルギーは当該絶縁溝で遮断されるので浴槽のフランジ部付近において冷やされるのを防ぐことができ保温乃至断熱効果がこれまでより一層良好となる。この効果は、前記絶縁溝に絶縁パッキンを嵌め込んで、当該絶縁パッキンの先端部を湯面側に向けて突出させることによって一層顕著となる。
【発明を実施するための最良の形態】
【００１５】
以下、本発明浴槽蓋の実施形態の一例を図面について詳細に説明する。
図１は絶縁溝に絶縁パッキンを嵌め込んだ本発明浴槽蓋の一実施形態を示す説明図、図２は３枚一組となした本発明浴槽蓋における絶縁溝の形成例を示す平面図、図３は絶縁溝の一例を示す本発明浴槽蓋の拡大断面図、図４は絶縁溝の他の実施例を示す本発明浴槽蓋の拡大断面図である。
【００１６】
図中１は本発明が対象とする薄板状の浴槽蓋本体を示す。当該浴槽蓋本体１はポリスチレンやポリエチレン、ポリプロピレンのような熱可塑性合成樹脂を基材とした発泡体からなる保温乃至断熱芯材２の表裏両面に、アルミニウムを始めとした金属製薄板や、熱伝導率の比較的大きい硬質合成樹脂または繊維強化合成樹脂等によって作製された耐水性を有する硬質外装薄板３，３を接着、融着等公知の手段で積層一体化し、且つその外周縁部に軟質合成樹脂製のエッジプロテクター４を嵌着した構成となっている。
【００１７】
なお、保温乃至断熱芯材２の表裏両面に付設する耐水性を有する硬質外装薄板３，３の表面には、意匠効果を向上させる表面化粧層がさらに設けられる場合もあるが、本発明における硬質外装薄板３，３にはこのような表面化粧層が設けられている場合も含むものであることは云うまでもない。
【００１８】
本発明に係る浴槽蓋は、使用状態において湯面側となる前記硬質外装薄板３の浴槽５におけるフランジ部６との境界付近に沿って絶縁溝７を連続して形成し、温められた湯面側の硬質外装薄板３の熱伝導を当該絶縁溝７で遮断するようにしたものである。
【００１９】
この絶縁溝７は、図３に示すように、湯面側に位置する硬質外装薄板３のみを板厚方向に切り欠いたものとしてもよいし、あるいは図４に示すように、硬質外装薄板３だけでなく内部の保温乃至断熱芯材２まで切り込んで深溝となし、当該深溝状の絶縁溝７内に熱伝導率の低いポリプロピレンやスチロール樹脂等によって作製した絶縁パッキン８を嵌め込んで、当該絶縁パッキン８の先端部を湯面側に向けて突出させるようにすると一層良好な保温乃至断熱効果を得ることができる。
【００２０】
図２に示す浴槽蓋本体１は、大型の浴槽５に対応して扱い易いように三分割にしたものであるが、それほど大きくない浴槽の場合には、一枚物としてもよいし、あるいは二枚物とすることもできるが、いずれの場合も浴槽蓋本体１の湯面側となる硬質外装薄板３の浴槽フランジ部６との境界付近に沿って前記した絶縁溝７を連続して形成するものであることは云うまでもない。
【００２１】
図１及び図２に示す実施形態においては、浴槽蓋本体１の外周縁部に軟質合成樹脂製のエッジプロテクター４を嵌め付けたものとなっているが、本発明浴槽蓋は上記したように使用時において湯面側となる硬質外装薄板３の浴槽フランジ部６との境界付近に沿って絶縁溝７を形成し、温められた湯面側の硬質外装薄板３の熱伝導を当該絶縁溝７で遮断するようにしたものであるから、このエッジプロテクター４の有無には直接関係がなく、外周縁部にエッジプロテクターが設けられていないタイプの浴槽蓋であっても、絶縁溝７が硬質外装薄板３に形成される限りにおいて本発明の範囲に含まれるものであることは勿論である。
【００２２】
なお、硬質外装薄板３に形成した絶縁溝７内に絶縁パッキン８を取付けない場合には、特に図示しないが、意匠上の観点から当該絶縁溝７内に熱伝導率の低い材質よりなる充填部材を嵌め込んで表面の凹部を美麗に仕上げるようにしてもよい。
【００２３】
施蓋状態において、浴槽５内の湯によって浴槽蓋本体１の湯面側の硬質外装薄板３が温められ、その熱エネルギーが硬質外装薄板３を伝って四方に拡散しても、浴槽５のフランジ部６の境界付近に絶縁溝７が設けられているため、当該絶縁溝７の部分で熱伝導が妨げられ、これによって浴槽蓋本体１の保温乃至断熱効果が向上する。
【００２４】
硬質外装薄板としてアルミニウム薄板を用いた絶縁溝の設けられていない従来タイプの浴槽蓋と、硬質外装薄板として同一のアルミニウム薄板を用いると共に浴槽フランジ部との境界付近に沿って図３に示す絶縁溝を形成した本発明に係る浴槽蓋の両方につき、経時的温度低下状況を計測したところ、次に示す表１のとおりの結果を得た。
【００２５】
なお、計測実験は、従来型浴槽蓋、本発明浴槽蓋の両方共、室温５℃の雰囲気中において４５℃に加温した同量の湯を満たした同一条件の浴槽を用いて実施した。
【表１】
2008000153.tif 000003
【００２６】
上記表１に示すとおり、湯面側となる硬質外装薄板に絶縁溝を設けた本発明に係る浴槽蓋の場合、４時間経過時点で従来タイプの浴槽蓋と較べて０．８℃保温効果が向上したことが判明した。また、６時間経過後においても０．６℃保温効果が改善された。
【００２７】
このように、本発明浴槽蓋によれば、硬質外装薄板を媒質として熱エネルギーが放散するのを絶縁溝７によって有効に防ぐことができ、冬場においても浴槽内の湯温の低下を抑えることができる。なお、絶縁溝７に絶縁パッキン８を嵌め込んで、当該絶縁パッキン８の先端部を湯面側に向けて突出させた場合には、浴槽５の上面開口において浴槽蓋の位置決めが容易となる他、ずれを防止するのにも効果がある。
【図面の簡単な説明】
【００２８】
【図１】絶縁溝に絶縁パッキンを嵌め込んだ本発明浴槽蓋の一実施形態を示す説明図である。
【図２】３枚一組となした本発明浴槽蓋における絶縁溝の形成例を示す平面図である。
【図３】絶縁溝の一例を示す本発明浴槽蓋の拡大断面図である。
【図４】絶縁溝の他の実施例を示す本発明浴槽蓋の拡大断面図である。
【図５】従来型薄板状浴槽蓋の使用状態の一例を示す説明図である。
【符号の説明】
【００２９】
１：浴槽蓋本体
２：保温乃至断熱芯材
３：硬質外装薄板
４：エッジプロテクター
５：浴槽
６：フランジ部
７：絶縁溝
８：絶縁パッキン
【図１】
2008000153.tif 000004
【図２】
2008000153.tif 000005
【図３】
2008000153.tif 000006
【図４】
2008000153.tif 000007
【図５】
2008000153.tif 000008